(57)【特許請求の範囲】
【請求項１】
オンライン販売イニシアチブのパフォーマンスを実行および最適化するための方法であって：
ウェブサーバが、１つ以上のオンライン販売イニシアチブに対応する入力データを受信するステップであって、前記１つ以上のオンライン販売イニシアチブの各々は少なくとも１つのアセットを含む、ステップと；
前記ウェブサーバが、前記の受信された入力データから前記１つ以上のオンライン販売イニシアチブを生成するステップと；
前記ウェブサーバが、前記１つ以上のオンライン販売イニシアチブを１つ以上のプラットフォームに公開するため、前記１つ以上のオンライン販売イニシアチブを１つ以上のプレゼンテーション・サーバに提供するステップと；
前記ウェブサーバが、前記１つ以上のプレゼンテーション・サーバから、前記１つ以上のオンライン販売イニシアチブの少なくとも１つについてのトラッキング・データを受信するステップと；
前記ウェブサーバが、前記の少なくとも１つのオンライン販売イニシアチブのパフォーマンスを判定するよう、前記トラッキング・データを１つ以上のパフォーマンス測定基準と比較するステップと；
前記ウェブサーバが、前記トラッキング・データおよび前記パフォーマンス測定基準のうちの少なくとも１つを、前記ウェブサーバおよび前記１つ以上のプレゼンテーション・サーバのうちの、少なくとも１つに接続しているデータベースに保存するステップと；
を含む方法。
【請求項２】
前記１つ以上のオンライン販売イニシアチブの各々が、バナー、ウェブページ、ハイパーリンク、インタラクティブ画像、インタラクティブ・ビデオ、および、それらの組み合わせのうちのいずれかを有する少なくとも１つのエントリ・アセットをさらに含む、請求項１に記載の方法。
【請求項３】
前記１つ以上のオンライン販売イニシアチブの各々が、ランディング・ウェブページ、ウェブフォーム、クリックスルー、広告、販売促進キャンペーン、クーポン、および、それらの組み合わせのうちのいずれかを有する少なくとも１つのゴール・アセットをさらに含む、請求項１または２に記載の方法。
【請求項４】
トラッキング・データが、訪問者と、前記少なくとも１つのアセットおよび前記少なくとも１つのゴール・アセットのうちの少なくとも１つとの、対話を含む、請求項３に記載の方法。
【請求項５】
前記１つ以上のプラットフォームが、ＲＳＳおよびニュースフィード、ウェブコンテンツ・アグリゲータ、ウェブ・エンジン、１つ以上のウェブページ、ソーシャル・ネットワーキング・メディア、検索エンジン、オンライン広告エンジン、バナー・エンジン、オンライン・ニュースグループ、フォーラム、標準ウェブアプリケーション、モバイル・ウェブアプリケーション、ならびに、それらの組み合わせを含む、請求項１〜４のいずれか１項に記載の方法。
【請求項６】
１つ以上のオンライン販売イニシアチブに対応する入力データをグローバル販売フレームワークから前記ウェブサーバが受信するステップをさらに含む、請求項１〜５のいずれか１項に記載の方法。
【請求項７】
訪問者と、前記１つ以上のオンライン販売イニシアチブのうちの少なくとも１つに関連付けられている少なくとも１つのアセットとの、対話に対応する情報を判別することと；
各訪問者に対応するデモグラフィック情報を取得することと；
をなすよう、前記トラッキング・データを前記ウェブサーバが評価するステップをさらに含む、請求項１〜６のいずれか１項に記載の方法。
【請求項８】
前記パフォーマンス測定基準が、前記１つ以上のオンライン販売イニシアチブの各々についての前記少なくとも１つのアセットを通じて、前記少なくとも１つのゴール・アセットにアクセスする訪問者の総数を含む、請求項７に記載の方法。
【請求項９】
前記ウェブサーバが、前記少なくとも１つのオンライン販売イニシアチブについての前記パフォーマンス測定基準に関し、前記トラッキング・データの少なくとも一部に対応する１つ以上のビジュアル表現を生成するステップと；
前記ビジュアル表現を、前記ウェブサーバが１つ以上のクライアントデバイスに提供するステップと；
をさらに含む、請求項１〜８のいずれか１項に記載の方法。
【請求項１０】
前記少なくとも１つのオンライン販売イニシアチブについての前記パフォーマンス測定基準のビジュアル表現を前記ウェブサーバが生成するステップと、前記ビジュアル表現を、前記ウェブサーバを用いてクライアントデバイスに前記ウェブサーバが提供するステップと、をさらに含む、請求項１〜９のいずれか１項に記載の方法。
【請求項１１】
前記少なくとも１つのオンライン販売イニシアチブの前記少なくとも１つのアセットを変更することにより、前記少なくとも１つのオンライン販売イニシアチブを前記パフォーマンス測定基準に基づいて前記ウェブサーバが選択的に変更するステップをさらに含む、請求項１〜１０のいずれか１項に記載の方法。
【請求項１２】
前記少なくとも１つのオンライン販売イニシアチブを前記ウェブサーバが選択的に変更するステップが、前記少なくとも１つのオンライン販売イニシアチブに関連付けられている追加的なオンライン販売イニシアチブ内の、対応する変更を引き起こす、請求項１１に記載の方法。
【請求項１３】
トラッキング・データを受信する対象として前記１つ以上のオンライン販売イニシアチブのうちの少なくとも１つを前記ウェブサーバが選択するステップを、トラッキング・データを受信する前記ステップの前にさらに含む、請求項１〜１２のいずれか１項に記載の方法。
【請求項１４】
オンライン販売イニシアチブのパフォーマンスを実行および最適化するためのシステムであって：
オンライン販売イニシアチブのパフォーマンスを評価するための実行可能命令を保存するメモリと；
メモリに保存された命令を実行するよう構成されたプロセッサであって：
ウェブサーバを用いて、１つ以上のオンライン販売イニシアチブに対応する入力データを受信する動作であって、前記１つ以上のオンライン販売イニシアチブの各々は少なくとも１つのアセットを含む、動作と；
前記ウェブサーバにおいて、前記の受信された入力データから前記１つ以上のオンライン販売イニシアチブを生成する動作と；
前記１つ以上のオンライン販売イニシアチブを１つ以上のプラットフォームに公開するため、前記１つ以上のオンライン販売イニシアチブを１つ以上のプレゼンテーション・サーバに提供する動作と；
前記１つ以上のプレゼンテーション・サーバから、前記１つ以上のオンライン販売イニシアチブの少なくとも１つについてのトラッキング・データを受信する動作と；
前記の少なくとも１つのオンライン販売イニシアチブのパフォーマンスを判定するよう、前記トラッキング・データを１つ以上のパフォーマンス測定基準と比較する動作と；
前記トラッキング・データおよび前記パフォーマンス測定基準のうちの少なくとも１つを、前記ウェブサーバおよび前記１つ以上のプレゼンテーション・サーバのうちの、少なくとも１つに接続しているデータベースに保存する動作と；
をなすように構成されたプロセッサと；
を含むシステム。
【請求項１５】
前記１つ以上のオンライン販売イニシアチブの各々が、バナー、ウェブページ、ハイパーリンク、インタラクティブ画像、インタラクティブ・ビデオ、および、それらの組み合わせのうちのいずれかを有する少なくとも１つのエントリ・アセットをさらに含む、請求項１４に記載のシステム。
【請求項１６】
前記１つ以上のオンライン販売イニシアチブの各々が、ランディング・ウェブページ、広告、販売促進キャンペーン、クーポン、および、それらの組み合わせのうちのいずれかを有する少なくとも１つのゴール・アセットをさらに含む、請求項１４または１５に記載のシステム。
【請求項１７】
トラッキング・データが、訪問者と、前記少なくとも１つのアセットおよび前記少なくとも１つのゴール・アセットのうちの少なくとも１つとの、対話を含む、請求項１６に記載のシステム。
【請求項１８】
前記１つ以上のプラットフォームが、ＲＳＳおよびニュースフィード、ウェブコンテンツ・アグリゲータ、ウェブ・エンジン、１つ以上のウェブページ、ソーシャル・ネットワーキング・メディア、検索エンジン、オンライン広告エンジン、バナー・エンジン、オンライン・ニュースグループ、フォーラム、標準ウェブアプリケーション、モバイル・ウェブアプリケーション、ならびに、それらの組み合わせを含む、請求項１４〜１７のいずれか１項に記載のシステム。
【請求項１９】
前記プロセッサがさらに、１つ以上のオンライン販売イニシアチブに対応する入力データをグローバル販売フレームワークから受信する命令を実行するよう構成される、請求項１４〜１８のいずれか１項に記載のシステム。
【請求項２０】
前記プロセッサがさらに：
訪問者と、前記１つ以上のオンライン販売イニシアチブのうちの少なくとも１つに関連付けられている少なくとも１つのアセットとの、対話に対応する情報を判別することと；
各訪問者に対応するデモグラフィック情報を取得することと；
をなすよう、前記トラッキング・データを評価する命令を実行するよう構成される、請求項１４〜１９のいずれか１項に記載のシステム。
【請求項２１】
前記パフォーマンス測定基準が、前記１つ以上のオンライン販売イニシアチブの各々についての前記少なくとも１つのアセットを通じて、前記少なくとも１つのゴール・アセットにアクセスする訪問者の総数を含む、請求項２０に記載のシステム。
【請求項２２】
前記プロセッサがさらに、前記少なくとも１つのオンライン販売イニシアチブについての前記パフォーマンス測定基準に関し、前記トラッキング・データの少なくとも一部に対応する１つ以上のビジュアル表現を生成する動作と、前記ビジュアル表現を、前記ウェブサーバを用いて提供する動作とをなすよう構成される、請求項１４〜２１のいずれか１項に記載のシステム。
【請求項２３】
前記プロセッサがさらに、前記少なくとも１つのオンライン販売イニシアチブを前記パフォーマンス測定基準に基づいて選択的に変更する動作をなすよう構成される、請求項１４〜２２のいずれか１項に記載のシステム。
【請求項２４】
前記少なくとも１つのオンライン販売イニシアチブを選択的に変更する動作が、前記少なくとも１つのオンライン販売イニシアチブに関連付けられている追加的なオンライン販売イニシアチブ内の、対応する変更を引き起こす、請求項２３に記載のシステム。
【請求項２５】
前記１つ以上のプレゼンテーション・サーバから前記１つ以上のオンライン販売イニシアチブのうちの少なくとも１つについてのトラッキング・データを受信する前記動作の前に、トラッキング・データを受信する対象として前記１つ以上のオンライン販売イニシアチブのうちの少なくとも１つを選択する動作をさらに含む、請求項１４〜２４のいずれか１項に記載のシステム。
【請求項２６】
オンライン販売イニシアチブのパフォーマンスを実行および最適化するための方法を実行するよう、コンピューティング・システムにおいてプロセッサが実行するコンピュータプログラムであって、前記方法が：
ウェブサーバを用いて、１つ以上のオンライン販売イニシアチブに対応する入力データを受信するステップであって、前記１つ以上のオンライン販売イニシアチブの各々は少なくとも１つのアセットを含む、ステップと；
前記ウェブサーバを用いて、前記の受信された入力データから前記１つ以上のオンライン販売イニシアチブを生成するステップと；
前記１つ以上のオンライン販売イニシアチブを１つ以上のプラットフォームに公開するため、前記１つ以上のオンライン販売イニシアチブを１つ以上のプレゼンテーション・サーバに提供するステップと；
前記１つ以上のプレゼンテーション・サーバから、前記１つ以上のオンライン販売イニシアチブの少なくとも１つについてのトラッキング・データを受信するステップと；
前記の少なくとも１つのオンライン販売イニシアチブのパフォーマンスを判定するよう、前記トラッキング・データを１つ以上のパフォーマンス測定基準と比較するステップと；
前記トラッキング・データおよび前記パフォーマンス測定基準のうちの少なくとも１つを、前記ウェブサーバおよび前記１つ以上のプレゼンテーション・サーバのうちの、少なくとも１つに接続しているデータベースに保存するステップと；
を含む、コンピュータプログラム。
【請求項２７】
オンライン販売イニシアチブのパフォーマンスを評価するための方法であって：
ウェブサーバが、１つ以上のプレゼンテーション・サーバから、１つ以上のオンライン販売イニシアチブについてのトラッキング・データを受信するステップであって、前記１つ以上のオンライン販売イニシアチブの各々は少なくとも１つのアセットを含む、ステップと；
前記ウェブサーバが、前記の少なくとも１つのオンライン販売イニシアチブのパフォーマンスを判定するよう、前記トラッキング・データを１つ以上のパフォーマンス測定基準と比較するステップと；
前記ウェブサーバが、前記トラッキング・データおよび前記１つ以上のパフォーマンス測定基準のうちの少なくとも１つを、データベースに保存するステップと；
を含む方法。
【請求項２８】
各パフォーマンス測定基準のビジュアル表現を前記ウェブサーバが生成するステップと、前記ビジュアル表現をあわせて前記ウェブサーバが配置するステップとをさらに含む、請求項２７に記載の方法。
【請求項２９】
前記少なくとも１つのアセットが、一意的なユニフォーム・リソース・インジケータを含む、請求項２７または２８に記載の方法。
【請求項３０】
前記少なくとも１つのアセットについてのトラッキング・データが、前記の一意的なユニフォーム・リソース・インジケータを用いて収集されうる、請求項２９に記載の方法。
【請求項３１】
前記少なくとも１つのオンライン販売イニシアチブが複数のアセットを含み、前記少なくとも１つのオンライン販売イニシアチブは一意的なユニフォーム・リソース・インジケータを有し、前記複数のアセットの各々は一意的なユニフォーム・リソース・インジケータを有する、請求項２７〜３０のいずれか１項に記載の方法。
【請求項３２】
トラッキング・データを受信する前記ステップの前に、受信されるトラッキング・データが選択した一意的なユニフォーム・リソース・インジケータに対応するように、前記１つ以上のオンライン販売イニシアチブの１つ以上のアセットに対応する１つ以上の一意的なユニフォーム・リソース・インジケータの選択を前記ウェブサーバが受信するステップをさらに含む、請求項２７〜３１のいずれか１項に記載の方法。
【請求項３３】
請求項１〜１３のいずれか１項に記載の、オンライン販売イニシアチブのパフォーマンスを実行および最適化するための方法を行うよう、コンピューティング・システムのプロセッサが実行するコンピュータプログラム。
【請求項３４】
請求項２７〜３２のいずれか１項に記載の、オンライン販売イニシアチブのパフォーマンスを評価するための方法を行うよう、コンピューティング・システムのプロセッサが実行するコンピュータプログラム。
【発明の詳細な説明】
【技術分野】
【０００１】
本技術は一般にオンライン販売イニシアチブ（online  marketing  initiatives）に関し、より具体的には、制約条件とはならないが、オンライン販売イニシアチブを実行および最適化するためのシステム、方法、および媒体に関する。
【背景技術】
【０００２】
オンライン販売（online  marketing）は、時に困難となりうる。理由は、オンライン上にはユーザにとって有用である、利用可能な購買の選択肢、広告、およびウェブサイトが大量に与えられていて、特定の製品またはサービスについてオンライン上でウェブ・トラフィックまたはユーザの関心を生むことが、困難となりうるためである。
【０００３】
本出願は、米国特許出願第１３／０３５８５２号（申請日２０１１年２月２５日、タイトル“SYSTEMS、METHODS、AND  MEDIA  FOR  EXECUTING  AND  OPTIMIZING  ONLINE  MARKETING  INITIATIVES”）の利益および優先権を主張するものであり、その中で引用された全ての参照を含む全体を本書において参照することにより、その全開示内容を援用する。
【０００４】
さらに本出願は、米国特許出願第１３／０１６９８８号（申請日２０１１年１月２９日、タイトル“SYSTEMS、METHODS、AND  MEDIA  FOR  MANAGING  AMBIENT  ADAPTABILITY  OF  WEB  APPLICATIONS  AND  WEB  SERVICES”）（参照文献１）、および米国特許出願第１３／０１６９８９号（申請日２０１１年１月２９日、タイトル“SYSTEMS、METHODS、AND  MEDIA  FOR  WEB  CONTENT  MANAGEMENT”）（参照文献２）に関連し、その中で引用された全ての参照を含む全体を本書において参照することにより、その全てを援用する。
【発明の概要】
【発明が解決しようとする課題】
【０００５】
本技術は一般にオンライン販売イニシアチブ（online  marketing  initiatives）に関し、より詳細には、制約条件とはならないが、オンライン販売イニシアチブを実行および最適化するためのシステム、方法、および媒体に関する。
【課題を解決するための手段】
【０００６】
一部の実施形態によると、本技術はオンライン販売イニシアチブのパフォーマンスの、生成、実行、評価、および最適化のうちの少なくとも１つについての方法に向けられている。その方法は、（ａ）ウェブサーバを用いて、１つ以上の販売イニシアチブに対応する入力データを受信するステップであって、その１つ以上のオンライン販売イニシアチブの各々は少なくとも１つのアセット（asset）を含む、ステップ、（ｂ）ウェブサーバを用いて、受信した入力データから１つ以上のオンライン販売イニシアチブを生成するステップ、（ｃ）１つ以上の販売イニシアチブを１つ以上のプラットフォームに公開するため、１つ以上のオンライン販売イニシアチブを１つ以上のプレゼンテーション・サーバに提供するステップ、（ｄ）１つ以上のプレゼンテーション・サーバから、１つ以上の販売イニシアチブの少なくとも１つについてのトラッキング・データを受信するステップ、（ｅ）その少なくとも１つの販売イニシアチブのパフォーマンスを判定するよう、トラッキング・データを１つ以上のパフォーマンス測定基準（performance  metric）と比較するステップ、ならびに（ｆ）トラッキング・データおよびパフォーマンス測定基準のうちの少なくとも１つを、ウェブサーバおよび１つ以上のプレゼンテーション・サーバのうちの、少なくとも１つに接続しているデータベースに保存するステップ、を含みうる。
【０００７】
他の実施形態によると、本技術はオンライン販売イニシアチブのパフォーマンスの、生成、実行、評価、および最適化のうちの少なくとも１つについてのシステムに向けられてよく、そのシステムは、（ｉ）オンライン販売イニシアチブのパフォーマンスの評価についての実行可能命令を保存するためのメモリと、（ｉｉ）所定動作をなすため、メモリに保存されている命令を実行するよう構成されたプロセッサと、を含む。その所定動作は、（ａ）ウェブサーバを用いて、１つ以上の販売イニシアチブに対応する入力データを受信する動作であり、その１つ以上のオンライン販売イニシアチブの各々は少なくとも１つのエントリ・アセット（entry  asset）を含む、動作、（ｂ）ウェブサーバを用いて、受信した入力データから１つ以上のオンライン販売イニシアチブを生成する動作、（ｃ）１つ以上のオンライン販売イニシアチブを１つ以上のプレゼンテーション・サーバに公開する動作、（ｄ）１つ以上のプレゼンテーション・サーバから、１つ以上の販売イニシアチブの少なくとも１つについてのトラッキング・データを受信する動作、（ｅ）その少なくとも１つの販売イニシアチブのパフォーマンスを判定するよう、トラッキング・データを１つ以上のパフォーマンス測定基準と比較する動作、ならびに（ｆ）トラッキング・データおよびパフォーマンス測定基準のうちの少なくとも１つを、ウェブサーバおよび１つ以上のプレゼンテーション・サーバのうちの、少なくとも１つに接続しているデータベースに保存する動作、である。
【０００８】
一部の実施形態によると、本技術は、コンピュータプログラムを具体化されて有する固定の実行可能ストレージ媒体に向けられてよく、そのコンピュータプログラムは、コンピューティング・システム内のプロセッサに、オンライン販売イニシアチブのパフォーマンスの、生成、実行、評価、および最適化のうちの少なくとも１つについての方法を実行させる。その方法は、（ａ）ウェブサーバを用いて、１つ以上の販売イニシアチブに対応する入力データを受信するステップであって、その１つ以上のオンライン販売イニシアチブの各々は少なくとも１つのアセットを含む、ステップ、（ｂ）ウェブサーバを用いて、受信した入力データから１つ以上のオンライン販売イニシアチブを生成するステップ、（ｃ）１つ以上の販売イニシアチブを１つ以上のプラットフォームに公開するため、１つ以上のオンライン販売イニシアチブを１つ以上のプレゼンテーション・サーバに提供するステップ、（ｄ）１つ以上のプレゼンテーション・サーバから、１つ以上の販売イニシアチブの少なくとも１つについてのトラッキング・データを受信するステップ、（ｅ）その少なくとも１つの販売イニシアチブのパフォーマンスを判定するよう、トラッキング・データを１つ以上のパフォーマンス測定基準と比較するステップ、ならびに（ｆ）トラッキング・データおよびパフォーマンス測定基準のうちの少なくとも１つを、ウェブサーバおよび１つ以上のプレゼンテーション・サーバのうちの、少なくとも１つに接続しているデータベースに保存するステップ、を含む。
【０００９】
他の実施形態において、本技術は、（ａ）１つ以上のプレゼンテーション・サーバから、１つ以上のオンライン販売イニシアチブについてのトラッキング・データを受信するステップであって、１つ以上のオンライン販売イニシアチブの各々は、少なくとも１つのアセットを含む、ステップ、（ｂ）その少なくとも１つの販売イニシアチブのパフォーマンスを判定するよう、トラッキング・データを１つ以上のパフォーマンス測定基準と比較するステップ、ならびに（ｃ）トラッキング・データおよび１つ以上のパフォーマンス測定基準のうちの少なくとも１つを、データベースに保存するステップ、を含む方法に向けられてよい。
【図面の簡単な説明】
【００１０】
【図１】オンライン販売イニシアチブのパフォーマンスを、生成、実行、評価、および最適化するためのシステムの、例示的なアーキテクチャの概要図である。そのシステムは本技術に係る態様の実施に用いられてよい。
【図２】ウェブサーバ上に常駐しているアプリケーションを示す。
【図３】オンライン販売イニシアチブの生成に用いることが可能な入力データをエンドユーザから受け取るよう、図２のアプリケーションにより生成されるダッシュボードの、例示的な表示を示す。
【図４】単一のオンライン販売イニシアチブについてのパフォーマンス測定基準のビジュアル表現を有する、例示的な分析インタフェースを示す。
【図５】複数のオンライン販売イニシアチブについてのパフォーマンス測定基準のビジュアル表現を有する、追加の例示的な分析インタフェースを示す。
【図６】オンライン販売イニシアチブのパフォーマンスを生成および評価するための方法の、例示的なフロー図である。
【図７】本開示に係る態様の実施に用いることが可能な、例示的なコンピューティング・システムのブロック図である。
【発明を実施するための形態】
【００１１】
本技術は、多くの種々の形における実施形態を可能とするが、複数の具体的な実施形態が、図面に示され、本書にて詳細に説明される。理解されるように、本開示は技術の基本的性質の例示とみなされるべきであって、本技術を例示された実施形態に制限することは意図されない。
【００１２】
一般的に言うと、本書において提供されるシステムおよび方法は、オンライン販売イニシアチブを生成し、そのパフォーマンスを評価し、ならびに、パフォーマンスを改良および／または最適化するためオンライン販売イニシアチブに変化をもたらすように、構成されうる。大まかに言うと、本書にて提供されるシステムおよび方法により、エンドユーザは、１つ以上のアセットを含むオンライン販売イニシアチブを生成すること、訪問者とアセット上で訪問者が実行するアクションとを追跡すること、ならびに、オンライン販売イニシアチブの進捗についての統計的なデータを処理および表示することが、可能となりうる。
【００１３】
本書にて提供される例示的なオンライン販売エクスプローラ・インタフェースは、エンドユーザに、複数のプラットフォームにわたって一貫性のあるオンライン販売イニシアチブを構築するためのメカニズムを提供しうる。理解されるように、用語「プラットフォーム」は、数例を挙げると、ＲＳＳおよびニュースフィード、ウェブコンテンツ・アグリゲータ、ウェブ・エンジン、１つ以上のウェブページ、ソーシャル・ネットワーキング・メディア、検索エンジン、オンライン広告エンジン、バナー・エンジン、オンライン・ニュースグループ、フォーラム、および、ウェブアプリケーション（標準およびモバイルの双方）、ならびに、それらのいずれかの組み合わせを含むものと理解されてよい。従って、エンドユーザは、複数のプラットフォームに対するオンライン販売イニシアチブを１つの便利なアプリケーションにおいて効率的にかつ同時に生成可能となる。
【００１４】
複数のプラットフォームにわたってオンライン販売イニシアチブを生成することに加えて、本開示に係るシステムおよび方法により、エンドユーザは、複数の言語および／または国に対してローカライズされた（ローカライズ版）オンライン販売イニシアチブを生成することが可能となりうる。こうしたローカライズ版オンライン販売イニシアチブは、グローバル販売フレームワーク（global  marketing  framework）の一部分を継承しうるが、特定の消費者のグループを対象としてカスタマイズされてもよい。
【００１５】
オンライン販売エクスプローラ（online  marketing  explorer）により、エンドユーザは、バナー、ハイパーリンク、およびウェブページなどの所定のアセットからオンライン販売イニシアチブを迅速にかつ効率的に構築することが可能となる。販売イニシアチブの各々は１つ以上のアセットに機能的に関連する１つ以上のゴールを含み、オンライン販売イニシアチブに関連付けられているアセットにアクセスする訪問者が、その１つ以上のゴールに向けられるようにする。一部の実施形態において、そのゴールは、ランディング・ページ、１つ以上のビデオ、および１つ以上の画像などを含んでよい。エンドユーザは１つ以上のアセットを、オンライン販売エクスプローラ・インタフェース内でのリンク付けを通じて、ゴールと関連付けてよく、本書にてさらなる詳細が説明される。
【００１６】
別記されるように、本技術のオンライン販売イニシアチブは、説得力のあるコンテンツ（例えば、アセット）を含むものとして一般に説明されうる。オンライン販売イニシアチブのパフォーマンスは、オンライン販売イニシアチブのアセットに関連する訪問者のデータ、オンライン販売イニシアチブそのもの、訪問者に対応する情報、および、それらの組み合わせを、追跡することにより測定されうる。
【００１７】
理解されるように、オンライン販売イニシアチブのパフォーマンスは、「パフォーマンス測定基準（performance  metric）」にて、一般に参照されうる。エンドユーザは、オンライン販売イニシアチブに関連する統計的なデータをエンドユーザが判別および収集可能となるような、１つ以上の測定基準を、各オンライン販売イニシアチブについて定めてよい。例えば、エンドユーザは、特定のインタラクティブ・バナー広告がどれほどのクリックスルーを所与の時間内に生成しているかを判別してよい。
【００１８】
代替的に、エンドユーザは、そのインタラクティブ・バナー広告に所与の時間内にアクセスしているユニークな訪問者の総数を判別してもよい。パフォーマンス測定基準はまた、そのインタラクティブ・バナー広告を用いて訪問者から収集されたデモグラフィック情報を考慮して、収集および評価されてもよい。当業者が十分理解するように、オンライン販売イニシアチブのパフォーマンスに対応する、他の多くのパフォーマンス測定基準が、本技術に係るシステムおよび方法を用いて収集されうる。さらに、パフォーマンス測定基準がエンドユーザによって定義されるように、パフォーマンス測定基準は、いかなる特定の構成または要求にも限定されず、エンドユーザ独自のニーズに依存してよい。
【００１９】
アセットは、コンテンツ管理アプリケーションに関連付けられているグローバル販売フレームワーク（「コンテンツ・ブループリント（Content  Blueprint）」としても知られる）から受信されてよく、参照文献２にさらなる詳細が述べられている。その上、オンライン販売エクスプローラは、エンドユーザがアセットのコンテンツを修正できるようにする。例えば、オンライン販売エクスプローラは、エンドユーザがコンテンツ管理アプリケーションの機能の一部をオンライン販売エクスプローラ内から使用できるよう、コンテンツ管理アプリケーションと動作可能に関連付けられていてよい。
【００２０】
マーケティング担当者が１つ以上の販売イニシアチブを定めると、その１つ以上の販売イニシアチブは公開のために複数のプレゼンテーション・サーバに提供されうる。例えば、ソーシャル・ネットワーキング・メディア向けに策定されたオンライン販売イニシアチブ（例えば、テキストおよびハイパーリンクのアセット）が、適切なソーシャル・ネットワーキング・メディアに提供される。ある小売のウェブサイトへの配置のために策定されたオンライン販売イニシアチブ（例えば、インタラクティブ・バナーのアセット）は、その小売のウェブサイトを提供している適切なウェブサーバに提供されてよく、または、別のウェブサーバに公開され、そのインタラクティブ・バナーのアセットへの参照がその小売のウェブサイトに組み込まれてもよい。
【００２１】
訪問者の、オンライン販売イニシアチブとの対話（interaction）が、時間をかけてモニターされる。それは、訪問者とプレゼンテーション・サーバに関連付けられているオンライン販売イニシアチブとの、種々の種類の対話について、プレゼンテーション・サーバの各々を評価することでなされる。訪問者の対話の評価は、訪問者がオンライン販売イニシアチブのどのアセットと対話したのか、または、エントリ・アセットが訪問者を少なくとも１つのゴール・アセットにうまく導いたのか、に対応するトラッキング・データを生成しうる。理解されるように、本技術に係るシステムおよび方法は、プレゼンテーション・サーバによって生成されるいかなる種類の訪問者情報をもモニターおよび評価するよう、構成されてよい。
【００２２】
続いて、本開示に係るシステムおよび方法は、オンライン販売イニシアチブが個々のゴールを達成しているのかどうかに対応する、パフォーマンス報告を生成してよい。追加的に、そのシステムおよび方法は、パフォーマンスを示すのに色または図形を用いているビジュアル表現などの、容易に確認可能な形式で、こうしたパフォーマンス報告を提供するよう構成されてよい。
【００２３】
プレゼンテーション・サーバによって生成されるパフォーマンス報告またはトラッキング・データは、エンドユーザが、成功した販売キャンペーンを容易に特定すること、および、失敗した販売キャンペーンを改良または中断することに、用いられてよい。本技術に係るシステムおよび方法に関連する、これらおよび他の機能および実装の詳細が、図１〜７を参照してより詳細に以下に述べられる。
【００２４】
図１を参照して、本技術に係る態様を実施するための、例示的なアーキテクチャ１００の概要図を示す。一般的に言うと、そのアーキテクチャは、ネットワーク１１５Ａを通じてウェブサーバ１１０に通信可能に接続している、複数のクライアントデバイス１０５Ａ（本書では単一のクライアントデバイス１０５Ａで示す）を含みうる。ネットワーク１１５Ａは、インターネットなどの公開のコンピュータネットワーク、無線通信ネットワーク、ワイド・エリア・ネットワーク、もしくはローカル・エリア・ネットワークなどの非公開のコンピュータネットワーク、または、そうしたネットワークの組み合わせを含んでよい。
【００２５】
ウェブサーバ１１０は、オンライン販売イニシアチブのパフォーマンスを評価するよう、構成されてよい。例えば、ウェブサーバ１１０は、１つ以上のユーザ・インタフェースを生成するよう、構成されてよい。そのユーザ・インタフェースは、１つ以上の販売イニシアチブの生成に利用可能な、オンライン販売イニシアチブに対応する情報を、エンドユーザ（例えば、マーケティング担当者およびコンテンツ管理者など）が入力するのに用いられてよい。販売イニシアチブは、ウェブページおよびソーシャル・ネットワーキング・メディアなどの多様なプラットフォームにわたって利用されることを目的として生成されうる。
【００２６】
販売イニシアチブが生成されると、その販売イニシアチブは、ネットワーク１１５Ａを通じて、複数のプレゼンテーション・サーバ１２０（本書では簡潔にするため、単一のプレゼンテーション・サーバ１２０で示す）に提供されてよい。その後、販売イニシアチブは、訪問者デバイスおよびクライアントデバイス１０５Ａに対して、公開または利用可能とされてよい。
【００２７】
トラッキング・データは、訪問者デバイス１０５Ｂから、訪問者とプレゼンテーション・サーバ１２０との対話から、訪問者デバイス１０５Ｂに常駐しているクッキー、および／またはサーバ・モニターなどの、１種類以上のトラッキング・メカニズムを通じて取得されうるもので、その全体をより詳細に以下で説明する。理解されるように、訪問者デバイス１０５Ｂはネットワーク１１５Ｂを通じてプレゼンテーション・サーバ１２０に通信可能に接続してよく、ネットワーク１１５Ｂはインターネットなどの公開のネットワークを含んでよい。
【００２８】
アーキテクチャ１００がウェブサーバ１１０およびプレゼンテーション・サーバ１２０を含むようにして開示されているが、本開示を前にする当業者が十分理解するように、そのアーキテクチャは、いかなる数または構成のウェブサーバおよびプレゼンテーション・サーバを有してもよく、クラウド・コンピューティング・システム（図示せず）などの分散型のコンピューティング・システムを含んでもよい。
【００２９】
クライアントデバイス１０５Ａと訪問者デバイス１０５Ｂとの双方は、ウェブサーバ１１０への情報（ウェブコンテンツなど）要求とウェブサーバ１１０からの情報（ウェブコンテンツなど）提供とに適合するウェブブラウザ・アプリケーションまたは他の適切なアプリケーションを実行可能な、いかなる汎用目的のコンピューティング・システムをも含んでよい。クライアントデバイス１０５Ａと訪問者デバイス１０５Ｂとの適切な例には、図７への参照とともに開示される、コンピューティング・システム７００が含まれうる。追加的に、ウェブサーバ１１０およびプレゼンテーション・サーバ１２０もまた、コンピューティング・システム７００のコンポーネントのうちの複数を含みうるが、ウェブサーバ１１０およびプレゼンテーション・サーバ１２０に関する具体的な実装および構造の詳細は、以下に提供される。
【００３０】
ここで図１および図２を合わせて参照し、ウェブサーバ１１０が、実行可能命令を有する特定目的のコンピューティング・システムとして説明されうる。その実行可能命令は、ウェブサーバ１１０のプロセッサによって実行されると、ウェブサーバ１１０にオンライン販売イニシアチブのパフォーマンスを生成および評価させる。理解されるように、オンライン販売イニシアチブの生成は、プレゼンテーション・サーバ１２０にオンライン販売イニシアチブを公開することを含んでもよく、訪問者は訪問者デバイス１０５Ｂを通じてそのオンライン販売イニシアチブにアクセス可能となる。ウェブサーバ１１０に常駐する実行可能命令はいかなる数のモジュール、エンジン、アプリケーション、および機能などを含んでもよいが、明瞭にするため、その実行可能命令は１つ以上のモジュールを有するアプリケーション２００として一般に説明されうる。
【００３１】
一般的に言うと、アプリケーション２００は、ユーザ・インタフェース・モジュール２０５、イニシアチブ管理モジュール２１０、および集計モジュール２１５を含みうる。理解されるように、アプリケーション２００は、より少ないモジュールおよび／もしくはエンジン、または、より多くのモジュールおよび／もしくはエンジンを有してよく、それでも本技術の範囲に含まれる。
【００３２】
他の実施形態において、アプリケーション２００は、コンテンツ管理アプリケーション２２０と対話しうるスタンドアロン・アプリケーションを含むが、当業者が十分理解するように、アプリケーション２００はさらに、コンテンツ管理アプリケーション２２０を構成するコンポーネントにもなりうる。
【００３３】
実際には、アプリケーション２００は、エンドユーザが多様なプラットフォームにわたってオンライン販売イニシアチブを生成するのに使用可能なデータを、コンテンツ管理アプリケーション２２０から受信するよう構成される。例えば、コンテンツ管理者はグローバル販売フレームワーク（図示せず）またはコンテンツ・ブループリントを生成するのに、コンテンツ管理アプリケーション２２０を使用してよい。コンテンツ管理者は、エンドユーザがオンライン販売イニシアチブを生成するのにアプリケーション２００のコンテキスト内で使用可能な、アセットを構築してよい。コンテンツ管理アプリケーションは幅広い追加的な機能性を含むが、コンテンツ管理アプリケーションに関するさらなる詳細は本書の範囲を超える。
【００３４】
アセットの限定されない例には、バナー、ハイパーリンク、ビデオファイル（またはビデオファイルのコレクション）、音声ファイル（または音声ファイルのコレクション）、画像ファイル（または画像ファイルのコレクション）、ウェブページ、および広告などが含まれる。さらに、アセットは、訪問者とアセットとの対話が結果を生むようなインタラクティブ・プロパティを含んでよい。例えば、訪問者がインタラクティブ・バナー広告をクリックすることにより、その訪問者のウェブブラウザが別のウェブページへリダイレクトされてよい。当業者はオンライン販売イニシアチブの生成およびコンテンツに堪能であろうゆえ、こうしたアセットの詳細および生成についての包括的な議論は提供されない。
【００３５】
ここで、図２および図３を合わせて参照し、一部の実施形態によると、ユーザ・インタフェース・モジュール２０５は、多様なグラフィカル・ユーザ・インタフェースとデータのビジュアル表現とを生成および表示するよう構成されてよい。例えば、ユーザ・インタフェース・モジュール２０５は、ダッシュボード３００の形式でグラフィカル・ユーザ・インタフェースを生成しうる。ダッシュボード３００は、リボン・ツールバー３０５、アセット・ライブラリ３１０、ワークスペース３１５、アセット詳細ペイン３２０、およびイニシアチブ・ナビゲーション・バー３２５などの、複数のセクションを有してよい。
【００３６】
リボン・ツールバー３０５は、現在のセクションに対して利用可能な、開く（open）、保存（save）、削除（remove）、および公開（publish）などの、複数の動作を有してよい。エンドユーザは、複数のコンテナ３３０を含むアセット・ライブラリ３１０から、１つ以上のアセットを選択してよい。そのコンテナ３３０の各々は、関連付けられたコンテナ下に分類されている、１つ以上のアセットを含む。大まかなコンテナのカテゴリには、テンプレート（所定のアセットのコレクション）、イニシアチブ（アセットを含む、事前に生成されているイニシアチブ）、およびウェブページのコンポーネントなどが含まれうるが、限定はされない。エンドユーザは、コンテナ３３０をクリックし、所望のアセットを選択することによって、効率的にアセットにアクセス可能となる。一部の実施形態において、そのアセットはワークスペース３１５までドラッグされうる。
【００３７】
ワークスペース３１５は、共に組み合わさってオンライン販売イニシアチブ３４０を表す、アセット３３５ａ、３３５ｂ、および３３５ｃを含むように示されている。アセット詳細ペイン３２０は、エンドユーザが個々のアセットの属性を選択的に変更できるようにする。イニシアチブ・ナビゲーション・バー３２５は、エンドユーザがアプリケーション２００内の複数のオンライン販売イニシアチブの生成を同時に管理できるようにする。フロー経路３４５は、１つ以上のアセット間のフローを示す。例えば、エントリ・アセット３３５ａは、クリックされるとフロー経路３４５を通じてビデオ広告を含むゴール・アセット３３５ｃに進む、インタラクティブ・バナーに関連づけられている。
【００３８】
追加的に、ユーザ・インタフェース・モジュール２０５は、ビジュアル表現の形式でトラッキング・データまたはパフォーマンス報告のグラフィカルな表示を生成してよく、図４〜図６を参照してさらなる詳細を説明する。ユーザ・インタフェース・モジュール２０５はさらに、エンドユーザがアプリケーション２００と対話できる、多様な追加のメニューおよび表示などを生成してもよい。
【００３９】
エンドユーザは、オンライン販売イニシアチブを生成するようダッシュボード３００を使用した後、特定アセットまたはオンライン販売アセット全体について判別される、パフォーマンス測定基準を定めてよい。そのパフォーマンス測定基準は、プレゼンテーション・サーバ１２０から取得されるトラッキング・データの種類を規定しうる。
【００４０】
例えば、エンドユーザは、ワークスペース３１５内に特定のエントリ・アセットを追加および／または定義してよく、その特定のエントリ・アセットに関する全てのトラッキング・データが収集されるべきであると定めてよい。そのようなものとして、グーグル（Google）広告データなどの包括的なトラッキング・データが、特定のエントリ・アセットに対する、単一のグーグル広告のリファラから、または、個々のエントリ・アセットとして機能する複数のグーグル広告から、収集されうる。特定のパフォーマンス測定基準は、ソーシャル・ネットワーキング・メディアのアプリケーション、または、ソーシャル・ネットワーキング・メディアのアプリケーションに動作可能に接続している、関連するリファラのアプリケーションを通じて、レポーティングの集計部２３０がソーシャル・ネットワーキングのアクション（例えば、リツイート（retweet）およびリポスト（repost）など）を判別できるようにする、チャネルのパラメータを含みうる。こうした種類の情報は、総体的に、または、オンライン販売イニシアチブのパフォーマンスを一定期間にわたって判別するよう特定の期間について、収集されてよい。
【００４１】
理解されるように、特定のリファラ（例えば、エントリ・アセット）は別として、リファラによって生成される、エントリ・アセットについての全データが（パフォーマンスに依存して最大値まで）追跡および保存されてよい。一部の実施形態において、レポーティングの集計部２３０は、個々のエントリ・アセットへのユニーク・ヒットを判別するよう構成されてよい。エントリ・アセットが一意的なＵＲＬである場合など、リファラを一意的に判別することが不可能なところでは、トラッキング・データは、グラフィカルなビューに示すことはできないが、ダウンロードとさらなる手動での集計と向けに提供されうる。
【００４２】
エンドユーザが１つ以上のオンライン販売イニシアチブを生成するようダッシュボード３００を使用した後、そのエンドユーザは、リボン・ツールバー３０５の公開ボタンをクリックすることによって、プレゼンテーション・サーバ１２０にそのオンライン販売イニシアチブを提供しうる。その後、プレゼンテーション・サーバ１２０はその１つ以上のオンライン販売イニシアチブを公開する。
【００４３】
ユーザ・インタフェース・モジュール２０５は、受信した入力データを、その受信した入力データからオンライン販売イニシアチブを生成するよう構成されうる、イニシアチブ管理モジュール２１０に伝える。追加的に、イニシアチブ管理モジュール２１０は、ウェブサーバ１１０に関連付けられているデータベースに、そのオンライン販売イニシアチブを保存するよう構成されてもよい。
【００４４】
公開ボタンがクリックされると、アプリケーション２００は、その１つ以上のオンライン販売イニシアチブをプレゼンテーション・サーバ１２０への配信向けに、プレゼンテーション・サーバ１２０がそのオンライン販売イニシアチブを公開可能となるフォーマットに、コンパイル（compile）または準備してよい。さらに、コンパイルまたは準備されたオンライン販売イニシアチブが、複数の従属的な公開に関連づけられているグローバルなイニシアチブである場合、その複数の従属的なイニシアチブは、複数のプレゼンテーション・サーバ１２０に関連付けられている複数のウェブサイトにわたって同時に、コンパイルまたは準備されてよく、かつ、公開されてよい。
【００４５】
再び図１に戻ると、プレゼンテーション・サーバ１２０の各々は、トラッキング・モジュール１２５と、コンテンツ・ブローカ・データベース１３５に動作可能に関連付けられうる、トラッキング・コア１３０とを有しうる。トラッキング・モジュール１２５は、プレゼンテーション・サーバ１２０上に公開されているデータと訪問者との対話に関する情報を収集するよう、構成されうる。一部の実施形態において、トラッキング・モジュール１２５は、アンビエント・データ・フレームワークを含んでよい。アンビエント・データ・フレームワークは、プレゼンテーション・サーバ上に提供されるウェブコンテンツに相当する、プレゼンテーション・サーバの多様なデータを、収集および変換するためのフレキシブルで設定変更可能なフレームワークを提供する。一部の実施形態によると、トラッキング・モジュール１２５は、参照文献１において詳述されている、アンビエント・データ・フレームワークを含みうる。
【００４６】
一部の実施形態において、トラッキング・モジュール１２５は、匿名の訪問者（および認識されている訪問者）を追跡するためのクライアント側のクッキーと、訪問者のセッションについての情報を保存するためのセッション・クッキーとを生成しうる。トラッキング・モジュール１２５は、さまざまな種類のトラッキング・データを生成および保存するよう、プレゼンテーション・サーバ１２０によって提供されるウェブコンテンツへの各要求において、コールされうる。
【００４７】
限定されない例として、トラッキング・モジュール１２５は、プレゼンテーション・サーバ１２０がウェブコンテンツへの要求を受信した時刻に相当するタイムスタンプと、プレゼンテーション・サーバがウェブコンテンツへの各要求に割当てた一意的な訪問者識別コードとをともに含むトラッキング・データを、判別および保存するよう構成されてよい。トラッキング・データは、もしあれば、訪問者が入ってきた元のウェブコンテンツのユニフォーム・リソース・ロケータ（ＵＲＬ）に対応する、外部のリファラのＵＲＬを含んでよい。
【００４８】
一部の実施形態において、トラッキング・モジュール１２５は、プレゼンテーション・サーバ１２０上に公開されているオンライン販売イニシアチブのアセットを、アセットの各々に関連付けられているユニフォーム・リソース・インジケータ（ＵＲＩ）を通じて追跡するよう、構成されてよい。例えば、トラッキング・データは、もしあれば、ユーザが別のページから到達する際の、その別のページのＵＲＩに対応する、内部のリファラのＵＲＩを含んでもよい。一部の実施形態において、トラッキング・データは、メディア・アクセス制御（ＭＡＣ）アドレス、インターネット・プロトコル（ＩＰ）アドレス、オペレーティング・システムのバージョン、およびウェブブラウザのバージョンなどの、コンピューティング・システムのデータを含んでよい。
【００４９】
他の実施形態において、トラッキング・データは、コンタクト（contact）の識別コードのＵＲＩと、アウトバウンドの電子メールのリンクが訪問者にクリックされる場合の、メールの識別コードのＵＲＩとを、訪問されたウェブページのＵＲＩ、および／またはウェブページのテンプレートのデータとともに、含んでよい。追加的に、トラッキング・データは、訪問者デバイス１０５Ｂに置かれているクッキーから収集される、訪問者データを含んでよい。
【００５０】
追加的に、そのトラッキング・データは、ウェブページに関連付けられている、アセットの識別コードの情報、およびアセットのテンプレートの識別コードについてのＵＲＩのペアなどの、ウェブページ上のアセットのリストを含んでもよい。
【００５１】
プレゼンテーション・サーバ１２０のトラッキング・コア１３０は、コンテンツ・ブローカ・データベース１３５に訪問者のトラッキング・データを保持する処理を行ってよい。エンドユーザは、トラッキング・データを保存する対象としたいコンテンツ・ブローカ・データベース１３５のインスタンスを、構成ファイルにおいて選択してよい。
【００５２】
他の実施形態において、トラッキング・コア１３０はさらに、訪問者のセッション・データを収集するため、コンテンツ管理アプリケーション２２０内に設定されている、同期ターゲット（synchronization  target）からの要求を処理してよい。例えば、トラッキング・コア１３０は、所与の期間にわたって変化しない訪問者のセッションを追跡し続けてよい。こうした同期ターゲットは、所定のスケジュールに従って訪問者のセッション・データを収集してよい。例えば、エンドユーザは、トラッキング・モジュール１２５に用いられる構成ファイルに、セッション・タイムアウト（いかなる期間を含んでもよいが、デフォルトの期間としておよそ２０分を含みうる）を構成してよい。
【００５３】
同期ターゲット１４０は、追跡されたアセットのＵＲＩをプレゼンテーション・サーバ１２０にプッシュする（push）または伝えるよう構成されてよく、かつ、プレゼンテーション・サーバ１２０によって収集されたトラッキング・データをアプリケーション２００に提供するよう構成されてよい。そのトラッキング・データは、オンライン販売イニシアチブのパフォーマンスに対応するパフォーマンス報告を、集計モジュール２１５が生成するのに用いられてよい。
【００５４】
同期ターゲット１４０は、例えば、集計モジュール２１５が解析のためにトラッキング・データを収集しうる対象であるプレゼンテーション・サーバ１２０へのＵＲＬを、エンドユーザが構成できるようにする。そのＵＲＬは、同期ターゲット１４０によってトラッキング・データを取得するよう、トラッキング・モジュール１２５を指してよい。トラッキング・モジュール１２５は、プレゼンテーション・サーバ１２０上に配置されるウェブページ、ウェブフォーム、Ｊａｖａ（登録商標）サーバページ（javaserver  page）、．ＮＥＴのａｓｐｘのウェブフォーム、および／または、ハイパーテキスト・マークアップ言語ドキュメントなどであり、トラッキング・コア１３０と通信する。
【００５５】
オンライン販売イニシアチブを複数のプレゼンテーション・サーバ１２０に公開することをエンドユーザが望むようなアプリケーションについて、エンドユーザは、各プレゼンテーション・サーバ１２０に対して、別個の同期ターゲット１４０を構成してよい。同期ターゲット１４０は、エンドユーザによって定められた所定の期間内に変化していない訪問者のセッションを特定するよう、設定された間隔でトラッキング・コア１３０と通信してよい。
【００５６】
集計モジュール２１５は、１つ以上の同期ターゲット１４０を通じて受信したトラッキング・データを処理するためのパイプ（conduit）として機能してよい。集計モジュール２１５は、同期ターゲット１４０からトラッキング・データを受信するよう構成されてよく、かつ、１つ以上の集計部２３０にトラッキング・データを提供するよう構成されてよい。集計部２３０はそれぞれ、各販売イニシアチブに対する適切なトラッキング・データを保存するために、トラッキング・データに関連付けられている（例えば、アセットに関連付けられている）オンライン販売イニシアチブについての詳細を取得してよい。つまり、集計モジュール２１５は、追跡されるべきアセットに対応するＵＲＩなどの情報を受信するよう、構成されうる。
【００５７】
集計モジュール２１５はまた、集計部２３０によって集計されるトラッキング・データを、ウェブサーバ１１０に関連付けられている集計データベース１５０内に保持するよう機能してもよい。
【００５８】
一部の追加的な実施形態において、集計モジュール２１５は、１つ以上のオンライン販売イニシアチブに関連付けられている１つ以上のアセットに対応するトラッキング・データを、同期ターゲットを通じてトラッキング・モジュール１２５から取得するよう構成されてよい。すなわち、集計モジュール２１５は、ビデオなどのランディング・ページの広告に関連付けられているインタラクティブ・バナーを含むオンライン販売イニシアチブについての、トラッキング・データを取得してよい。訪問者がインタラクティブ・バナーを通じてオンライン販売イニシアチブに「入る（enter）」ため、インタラクティブ・バナーは「エントリ（entry）」・アセットと呼ばれうる。
【００５９】
オンライン販売イニシアチブに関するトラッキング・データには、訪問者がそのインタラクティブ・バナーをクリックし、続いてそのランディング・ページに関連付けられている広告をクリックまたは利用した回数の総数が含まれてよい。そのようなものとして、集計モジュール２１５は、インタラクティブ・バナーをクリックする訪問者がそのランディング・ページに関連付けられているビデオ広告を実際に再生しているのかを、判別するよう構成されてよい。
【００６０】
他の実施形態において、個々のアセットまたはオンライン販売イニシアチブについてのトラッキング・データは、集計モジュール２１５が多様なユーザ定義のパフォーマンス測定基準を判定するのに用いられてよい。そのパフォーマンス測定基準は、オンライン販売イニシアチブに対応する特定の定量化可能な情報を、エンドユーザが判定するのに役立つものである。例えば、トラッキング・データは、訪問者がキャンペーン・ドライバなどのアセットに好意的に反応するかどうかを判定するのに用いられうる。トラッキング・データは、特定のオンライン販売イニシアチブのアセットを表示した訪問者の総数を測定するのに用いられてもよい。
【００６１】
より詳細なパフォーマンス測定基準には、訪問者が特定のアセットに対してどのように反応したのかを測定する能力が含まれうる。例として、所与のアセットを表示し、続いて同一の訪問（visit）内でそのオンライン販売イニシアチブの追加的なアセットの表示、またはそのアセットとの対話を完了できた、訪問者のパーセンテージがある。別の例として、パフォーマンス測定基準は、アセットを表示し、その同一訪問内でオンライン販売イニシアチブの追加的なアセットの表示、またはそのアセットとの対話を行わなかった、訪問者のパーセンテージを含んでもよい。
【００６２】
追加的な実施形態において、トラッキング・データがゴール・アセットについて収集される場合、エンドユーザは、ゴール・アセットとの対話に成功したオンライン販売イニシアチブへの訪問者のパーセンテージを（オンライン販売イニシアチブへの訪問者全体のパーセンテージとして）確かめることができ、または、ゴール・アセットとうまく対話することに失敗した訪問者のパーセンテージを潜在的に表示できる。
【００６３】
手がかりを得るためのパフォーマンス測定基準の例には、ウェブフォームを完了する訪問者の数と、ウェブフォームを表示し、かつそのフォームを完了した訪問者のパーセンテージと、エントリ・アセットによってそのウェブフォームを表示した訪問者の概要とが含まれうる。
【００６４】
気づきのためのパフォーマンス測定基準の例には、アセットもしくはアセット一式を表示した訪問者、または、アセットを表示し、かつそのアセットに関連付けられているウェブフォームを完了した訪問者のパーセンテージが、エントリ・アセットを通じてウェブフォームにアクセスしてそのウェブフォームを表示した訪問者の概要とともに、含まれうる。
【００６５】
より多くの訪問者がウェブフォームを最初の所与の期間に完了することを確実にするために用いられうる、パフォーマンス測定基準の例には、ウェブフォームを表示して基準の期間内にそのウェブフォームを完了した訪問者のパーセンテージを、後続の期間におけるオンライン販売イニシアチブの最新の統計と比較して、判定することが含まれる。
【００６６】
コンタクトを改良および／または更新するためのパフォーマンス測定基準の例には、プロファイルを記入した訪問者を判別することが含まれうる。そのプロファイルは、識別のために更新されるべき最小限の特性をエンドユーザによって指定されている。理解されるように、トラッキング・データは、フォームを表示してプロファイルを適切に記入した訪問者のパーセンテージ、および／または、エントリ・アセット経由でウェブフォームを表示した訪問者の概要を、含みうる。
【００６７】
そのようなものとして、集計モジュール２１５は、トラッキング・データを個々のオンライン販売イニシアチブについてまとめるよう構成されてよい。そのトラッキング・データは、エンドユーザが定義するゴールに関連する１つ以上のオンライン販売イニシアチブに対応するパフォーマンス測定基準のビジュアル表現を、ユーザ・インタフェース・モジュール２０５が生成および表示するのに用いられうる。
【００６８】
より具体的には、アプリケーション２００により、エンドユーザは特定の販売イニシアチブに対して１つ以上のゴールを指定可能となりうる。例えばゴールは、特定数のユニークな訪問者がインタラクティブ・バナーをクリックしてその訪問者が広告を含むビデオに渡ることを、含む。訪問者がビデオをクリックして再生することは、成功したイベントとして記録される。１日につき１０人のユニークな訪問者がビデオを再生することが、そのゴールとして定義されうる。そうしたゴールは、エンドユーザにより選択的に変更されてよく、オンライン販売イニシアチブに関する多様な分析情報をエンドユーザに提供しうる。
【００６９】
定義されたゴールに基づいて、オンライン販売イニシアチブに関連付けられている同期ターゲットは、トラッキング・モジュール１２５に、ゴールに関連付けられているオンライン販売イニシアチブのアセットの各々についての適切なトラッキング・データを収集させる。その同期ターゲットは処理のため、集計モジュール２１５の１つ以上の集計部２３０にトラッキング・データを伝えてよい。その後、そのトラッキング・データからビジュアル表現が生成されてよく、そのビジュアル表現は、オンライン販売イニシアチブのパフォーマンス測定基準について容易に確認可能な情報をエンドユーザに提供する。すなわち、パフォーマンス測定基準は、１つ以上のゴールに関連するアセットのトラッキング・データを比較するものとして定義されうる。
【００７０】
集計モジュール２１５は、ユニークなＵＲＩによってアセットを追跡するよう構成されうるため、訪問者がプレゼンテーション・サーバ１２０にウェブコンテンツを要求するかなどのよりあいまいなデータよりもむしろ、パフォーマンス測定基準の面から訪問者とプレゼンテーション・サーバ１２０との対話を評価してよい。そのようなものとして、アプリケーション２００は、特定のアセットの組み合わせについての有効性を特に追跡するよう、かつ、互いに関連する種々の組み合わせのアセットを有するオンライン販売イニシアチブを評価するよう、構成されてよい。
【００７１】
エンドユーザは、そのビジュアル表現を、既存のオンライン販売イニシアチブのインテリジェントな変更に対する基準、または今後のオンライン販売イニシアチブの構築に対する基準として、使用してよい。
【００７２】
他の実施形態において、トラッキング・データはさらに、オンライン販売イニシアチブにアクセスしている訪問者の数および／または種類に対応する、デモグラフィック情報を含んでもよい。従って、オンライン販売イニシアチブのパフォーマンスを測定することに加えて、アプリケーション２００は、エンドユーザにオンライン販売イニシアチブと直接的に相関性のあるデモグラフィック情報を提供しうる。
【００７３】
例えば、エンドユーザは、ソーシャル・ネットワーキング・メディア向けに生成されたオンライン販売イニシアチブが１８〜３４歳という年齢の範囲内に入る訪問者に対してゴールのうちの１００％を達成するように、決定づけてよい。逆に、ソーシャル・ネットワーキング・メディア向けに生成されたオンライン販売イニシアチブは４５〜６０歳という年齢の範囲内に入る訪問者に対してゴールのうちの５％を達成する。従って、エンドユーザは、ソーシャル・ネットワーキング・メディア向けに、１８〜３４歳という年齢の範囲内に入る訪問者に対しての追加的なオンライン販売イニシアチブをインテリジェントに設計してよい。
【００７４】
追加的に、アプリケーション２００がプレゼンテーション・サーバ１２０からのトラッキング・データを連続的に収集する能力により、エンドユーザは、その存続期間にわたって期待以下のオンライン販売イニシアチブについて、オンライン販売イニシアチブの有効性を判定するためにその存続期間の終了を待つよりもむしろ、そのオンライン販売イニシアチブのアセットを変更できる。さらにそのトラッキング・データにより、エンドユーザは、オンライン販売キャンペーンの存続期間を定めること、および、そのオンライン販売イニシアチブの存続期間の残り時間を定期的に判定することが、できうる。
【００７５】
ここで図４を参照して、オンライン販売イニシアチブのビジュアル表現を構成するものとして、例示的な分析インタフェース４００を示す。そのインタフェース４００は、オンライン販売イニシアチブに関連付けられている成功したイベントおよび失敗したイベントの、量または種類に対応する円グラフ４０５を含む。インタフェース４００はまた、オンライン販売イニシアチブの存続期間を所与の時系列に沿って記録する、棒グラフ４１０を含む。インタフェース４００はさらに、インタフェース４００においてトラッキング・データを表示する方法をエンドユーザが指定できるよう、詳細ペイン４１５を含んでもよい。
【００７６】
詳細ペイン４１５により、エンドユーザは、トラッキング・データのビジュアル表現を生成するための基準として用いられうる、インタラクティブな販売イニシアチブのゴールを、定めることが可能となる。
【００７７】
ここで図５を参照して、複数のビジュアル表現５０５ａ〜ｆを含むものとして、追加の例示的な分析インタフェース５００を示す。分析インタフェース５００は、共通のグローバル販売フレームワークに対応する複数のオンライン販売イニシアチブについての比較を容易に確認できるようにする。ビジュアル表現５０５ａ〜ｆの各々は、特定のオンライン販売イニシアチブに対応する画像を含む。さらに、ビジュアル表現５０５ａ〜ｆの画像の各々は、初めのうちはわずかに透過的であってよい。トラッキング・データが収集され、成功したイベントがオンライン販売イニシアチブに関連付けられているゴールに関して記録されるにつれて、そのビジュアル表現５０５ａ〜ｆは変化してよい。例えば、ビジュアル表現５０５ａが、それに関連付けられているゴールのうちの７８％を達成しているとする。その達成を表すため、ビジュアル表現５０５ａの画像のうちのおよそ７８％が濃くされ、「７８％」という文字情報がその画像に重ねられてよい。
【００７８】
図示されていないが、分析インタフェース５００は、多様な所定のパフォーマンス測定基準を表示するよう、構成されてよい。そのパフォーマンス測定基準は、これらに限定はされないが、現在存続していてパフォーマンスが最高のオンライン販売イニシアチブ、現在存続していてパフォーマンスが最低のオンライン販売イニシアチブ、オンライン販売イニシアチブにおいて現在使用中でありパフォーマンスが最低のアセット、これまで（終了したオンライン販売イニシアチブおよび現在進行中のもの）の中でパフォーマンスが最良のオンライン販売イニシアチブ、計画段階にあるオンライン販売イニシアチブ、および、最近変更されたオンライン販売イニシアチブを含む。
【００７９】
他の実施形態によると、ビジュアル表現に関連付けられている画像を濃くするよりもむしろ、ビジュアル表現が、オンライン販売イニシアチブに関連付けられているゴールに関連し、そのオンライン販売イニシアチブの現在のステータスに対応する、１つ以上の色を有してよい。例えば、ビジュアル表現が赤である場合、オンライン販売イニシアチブは、それに関連付けられているゴールを現在達成していない。ビジュアル表現が青である場合、オンライン販売イニシアチブはゴールを達成している。
【００８０】
先に述べたように、エンドユーザはアプリケーション２００を、複数の言語および／または国向けのローカライズ版オンライン販売イニシアチブを生成するのに用いてよい。そのローカライズ版オンライン販売イニシアチブは、グローバル販売フレームワークの一部分を継承しうるが、特定の消費者のグループを対象としてカスタマイズされてもよい。エンドユーザは、上述したパフォーマンスの評価方法を用いて、ローカライズ版オンライン販売イニシアチブを評価してよく、ローカライズ版オンライン販売イニシアチブの成功および／または失敗を判定してよい。そうしたデータに基づいて、エンドユーザは、１つ以上の成功したローカライズ版オンライン販売イニシアチブの成功したアセットを、１つ以上の期待以下のローカライズ版オンライン販売イニシアチブに組み込むことによって、その１つ以上の期待以下のローカライズ版オンライン販売イニシアチブを選択的に変更してよい。
【００８１】
同一の手法を用いて、他の種類の失敗したオンライン販売イニシアチブが、成功したオンライン販売イニシアチブとより密に類似するよう、選択的に変更されてよい。失敗したオンライン販売イニシアチブの選択的な変更には、アセットの追加、削除、または変更が含まれうる。例えば、エンドユーザは、オンライン販売キャンペーンに対するパフォーマンス測定基準に、１時間のうちにインタラクティブ・バナー広告をクリックするユニークな訪問者についての所与の数を含むよう、定めてよい。そのようなものとして、トラッキング・データは、インタラクティブ・バナー広告がエンドユーザによって定められたパフォーマンス測定基準を達成できていないことを、示しうる。エンドユーザは、オンライン販売イニシアチブの存続期間の終了を待つよりもむしろ、そのインタラクティブ・バナーをインタラクティブなビデオに置き換えることにアプリケーション２００を用いてよく、または、そのインタラクティブ・バナーの大きさや見た目など、そのアセットのいかなる部分をも変更してよい。さらなる例示的な実施形態において、そのユーザは１つ以上のアセットのフロー経路を変更してよい。オンライン販売イニシアチブのアセットの変更は、プレゼンテーション・サーバ１２０に直ちに公開されて、変更されたオンライン販売イニシアチブのパフォーマンスが、変更されたアセットに対するトラッキング・データを取得することによってモニターされうる。
【００８２】
選択的に変更されたオンライン販売イニシアチブのパフォーマンスの変化は、後続のトラッキングによってアプリケーション２００を通じて、定量化または検証されうる。
【００８３】
ここで図６を参照して、オンライン販売イニシアチブのパフォーマンスを評価するための方法６００を示す。例示的な実施形態において、方法６００のステップは、オンライン販売イニシアチブのパフォーマンスを生成および評価するよう構成された、ウェブサーバによって実行される。当業者が十分理解するように、方法６００のステップはまた、１つ以上のウェブサーバ、１つ以上のプレゼンテーション・サーバ、または、クラウド・コンピューティング・システムなどの分散型のコンピューティング・システムにわたって、行われてもよい。
【００８４】
一部の実施形態において、方法６００は、1つ以上の販売イニシアチブに対応する入力データを受信する、ステップ６０５を含んでよい。その入力データは1人以上のエンドユーザから、グラフィカル・ユーザ・インタフェースを通じて受信されうる。そのグラフィカル・ユーザ・インタフェースは、ウェブページおよびソーシャル・ネットワーキング・メディアなどの多様なプラットフォームにわたって分散されうる中で、まとまりのあるオンライン販売イニシアチブを生成するよう、複数のエンドユーザに共同的なフレームワークを提供する。
【００８５】
理解されるように、1つ以上のオンライン販売イニシアチブの各々は、少なくとも１つのゴール・アセットに関連付けられている、少なくとも１つのエントリ・アセットを含みうる。方法６００はさらに、受信した入力データから１つ以上のオンライン販売イニシアチブを生成する、ステップ６１０を含んでよい。
【００８６】
次に、方法６００は、１つ以上のオンライン販売イニシアチブを１つ以上のプラットフォームに公開するため、１つ以上のオンライン販売イニシアチブを1つ以上のプレゼンテーション・サーバに提供する、ステップ６１５を含んでよい。プレゼンテーション・サーバが1つ以上の販売イニシアチブを公開した後、方法６００は、1つ以上のオンライン販売イニシアチブのうちの少なくとも１つについてのトラッキング・データをプレゼンテーション・サーバから受信する、ステップ６２０を含んでよい。
【００８７】
続いて方法６００は、少なくとも１つの販売イニシアチブについてのパフォーマンス測定基準を判定するよう、受信したトラッキング・データを少なくとも１つのゴール・アセットと比較する、ステップ６２５を含んでよい。パフォーマンス測定基準は、エンドユーザが１つ以上のオンライン販売イニシアチブのパフォーマンスを迅速に判定できるような容易に理解されるビジュアル形式において、エンドユーザに対して表示されうる。方法６００はさらに、トラッキング・データおよびパフォーマンス測定基準のうちの少なくとも１つを、ウェブサーバおよび１つ以上のプレゼンテーション・サーバのうちの少なくとも１つに接続しているデータベースに保存する、ステップ６３０を含んでよい。
【００８８】
図７は、本技術の実施形態の実装に使用されうる、例示的なコンピューティング・システム７００を示す。図７のコンピューティング・システム７００は、１つ以上のプロセッサ７１０およびメモリ７２０を含む。メインメモリ７２０は、部分的に、プロセッサ７１０が実行する命令およびデータを保存する。システム７００が動作中の場合、メインメモリ７２０は実行可能コードを保存しうる。図７のシステム７００はさらに、大容量ストレージデバイス７３０、ポータブル・ストレージ・メディアドライブ７４０、出力デバイス７５０、ユーザ入力デバイス７６０、グラフィックディスプレイ７７０、および他の周辺装置７８０を含みうる。
【００８９】
図７に示されるコンポーネントは、単一のバス７９０を通じて接続されるものとして表されている。そのコンポーネントは１つ以上のデータ転送手段を通じて接続されてよい。プロセッサユニット７１０およびメインメモリ７２０は、ローカル・マイクロプロセッサ・バスを通じて接続されてよく、大容量ストレージデバイス７３０、周辺装置７８０、ポータブル・ストレージデバイス７４０、およびディスプレイ装置７７０は、１つ以上の入力／出力（Ｉ／Ｏ）バスを通じて接続されてよい。
【００９０】
大容量ストレージデバイス７３０は、磁気ディスクドライブまたは光ディスクドライブを用いて実装されてよく、プロセッサユニット７１０が使用するデータおよび命令を保存するための不揮発のストレージデバイスである。大容量ストレージデバイス７３０は、本技術の実施形態を実行するためのシステムソフトウェアを、メインメモリ７２０にそのソフトウェアをロードできるように、保存してよい。
【００９１】
ポータブル・ストレージデバイス７４０は、図７のコンピュータ・システム７００へデータおよびコードを入力するよう、かつ、そのシステムからデータおよびコードを出力するよう、フロッピー（登録商標）ディスク、コンパクトディスク、またはデジタルビデオディスクなどのポータブルな不揮発のストレージ媒体とともに動作する。本技術の実施形態を実行するためのシステムソフトウェアは、そうしたポータブル媒体に保存されてよく、ポータブル・ストレージデバイス７４０を通じてコンピュータ・システム７００に入力されてよい。
【００９２】
入力デバイス７６０はユーザ・インタフェースの一部を提供する。入力デバイス７６０は、英数字および他の情報を入力するための、キーボードなどの英数字のキーパッド、または、マウス、トラックボール、スタイラス、もしくはカーソル指示キーなどの、ポインティングデバイスを有しうる。追加的に、図７に示されるようなシステム７００は、出力デバイス７５０を含む。適切な出力デバイスには、スピーカ、プリンタ、ネットワーク・インタフェース、およびモニターが含まれる。
【００９３】
ディスプレイ装置７７０は、液晶ディスプレイ（ＬＣＤ）または他の適切な表示装置を含んでよい。ディスプレイ装置７７０は、テキストおよびグラフィックの情報を受信して、ディスプレイ装置への出力向けにその情報を処理する。
【００９４】
周辺装置７８０は、さらなる機能性をそのコンピュータ・システムに追加するよう、いかなる種類のコンピュータ支援装置を含んでもよい。周辺装置７８０は、モデムまたはルータを含んでよい。
【００９５】
図７のコンピュータ・システム７００に含まれるコンポーネントは、本技術の実施形態での利用に適切でありうるコンピュータ・システムにおいて一般的に知られるものであり、当技術分野では周知であるそうしたコンピュータ・コンポーネントの広義のカテゴリを表すことが意図される。従って、図７のコンピュータ・システム７００は、パーソナル・コンピュータ、ハンドヘルドのコンピューティング・システム、電話、モバイル・コンピューティング・システム、ワークステーション、サーバ、ミニコンピュータ、メインフレーム・コンピュータ、または、他のコンピューティング・システムでありうる。そのコンピュータは種々の、バス構成、ネットワーク・プラットフォーム、マルチプロセッサ・プラットフォームなどを、さらに含みうる。ＵＮＩＸ（登録商標）、Ｌｉｎｕｘ（登録商標）、Ｗｉｎｄｏｗｓ（登録商標）、Ｍａｃｉｎｔｏｓｈ  ＯＳ、Ｐａｌｍ  ＯＳ、および他の適切なオペレーティング・システムを含む、多様なオペレーティング・システムが使用されうる。
【００９６】
一部の上述された機能は、ストレージ媒体（例えば、コンピュータ読取可能媒体）に保存されている命令でありうる。その命令は、プロセッサに読み出されて実行されてよい。ストレージ媒体の一部の例には、メモリデバイス、テープ、およびディスクなどがある。その命令は、プロセッサに本技術に合う動作をさせるよう、プロセッサによって実行されると、使用可能となる。当業者は、命令、プロセッサ、およびストレージ媒体に詳しい。
【００９７】
注目すべき点は、本書で説明されている処理の実行に適しているどんなハードウェア・プラットフォームも、本技術への使用に適している、という点である。本書で使用されている用語「コンピュータ読取可能ストレージ媒体」は、ＣＰＵが実行する命令の提供に関与する、どんな媒体をもさす。そうした媒体は、これらに限定はされないが、不揮発性の媒体、揮発性の媒体、および伝送媒体を含む、多くの形を取りうる。不揮発性の媒体には、例えば、固定ディスクなどの、光ディスクまたは磁気ディスクが含まれる。揮発性の媒体には、システムＲＡＭなどの動的メモリが含まれる。伝送媒体には、同軸ケーブル、銅線、および光ファイバが含まれ、中でもバスの一実施形態である銅線が含まれる。伝送媒体はさらに、無線周波数（ＲＦ）および赤外線（ＩＲ）のデータ通信において生成されるような、音波または光波の形も取りうる。コンピュータ読取可能媒体の共通の形式には、例えば、フロッピー（登録商標）ディスク、固定ディスク、ハードディスク、磁気テープ、その他の磁気媒体、ＣＤ−ＲＯＭディスク、デジタルビデオディスク（ＤＶＤ）、その他の光媒体、印もしくは穴のパターンを有するその他の物理的な媒体、ＲＡＭ、ＰＲＯＭ、ＥＰＲＯＭ、ＥＥＰＲＯＭ、ＦＬＡＳＨＰＲＯＭ、その他のメモリチップもしくはデータ交換アダプタ、搬送波、または、コンピュータが読取可能なその他の媒体が、含まれる。
【００９８】
種々の形のコンピュータ読取可能媒体が、ＣＰＵが実行する１つ以上の命令についての１つ以上のシーケンスを運ぶのに用いられてよい。バスはシステムＲＡＭへデータを運び、ＣＰＵはシステムＲＡＭから命令を読み出して実行する。システムＲＡＭが受け取る命令は、ＣＰＵが実行する前か後かのいずれかに、任意的に固定ディスクに保存されうる。
【００９９】
上記の説明は例示であって制約ではない。本開示を再考察すると、本技術の多くのバリエーションが当業者に明らかになるだろう。従って、本技術の範囲は、上記の説明を参照して定められるべきではなく、代わって、別記の特許請求の範囲と同等の記載の全範囲とを参照して定められるべきである。
【図１】
0005952312.tif 000002
【図２】
0005952312.tif 000003
【図３】
0005952312.tif 000004
【図４】
0005952312.tif 000005
【図５】
0005952312.tif 000006
【図６】
0005952312.tif 000007
【図７】
0005952312.tif 000008